(57)【要約】【課題】フォーマットに応じて、記録手段の異なる記録領域にコンテンツを記録することができるようにする。【解決手段】HDD１５には領域Ａ、領域Ｂ、領域Ｃが形成されており、最終的なダビング先に基づいて、対象になっているコンテンツの記録先となるHDD１５の領域が判定される。記録対象になっているコンテンツが、最終的に、Blu-rayディスク５Ａにダビングさせるものとして設定されているコンテンツである場合、そのコンテンツは領域Ａに記録される。また、最終的に、DVD５Ｃにダビングさせるものとして設定されているコンテンツである場合、そのコンテンツはトランスコーダ２１−１に供給され、トランスコーダ２１−１によって生成された、領域Ａに記録されたコンテンツと異なるフォーマットのコンテンツが領域Ｂに記録される。本発明は、コンテンツを記録する記録装置に適用することができる。【選択図】図１８
2008047226.tif 000002
【特許請求の範囲】
【請求項１】
第１のフォーマットのコンテンツを受信する受信手段と、
前記第１のフォーマットと異なる第２のフォーマットのコンテンツを前記受信手段により受信されたコンテンツに基づいて生成する生成手段と、
前記第１と第２のフォーマットにそれぞれ対応する第１と第２の記録領域を有し、フォーマットに対応する記録領域にコンテンツを記録する記録手段と、
前記第１と第２のフォーマットのコンテンツを、それぞれ対応する記録媒体としての第１と第２の記録媒体に記録させる媒体記録手段と
を備え、
前記第１と第２のフォーマットは、それぞれ前記第１と第２の記録媒体に対応する記録フォーマットである
コンテンツ記録装置。
【請求項２】
第１のフォーマットのコンテンツを受信する受信手段と、
前記第１のフォーマットと異なる第２のフォーマットのコンテンツを前記受信手段により受信されたコンテンツに基づいて生成する第１の生成手段と、
前記第１および第２のフォーマットと異なる第３のフォーマットのコンテンツを前記受信手段により受信されたコンテンツに基づいて生成する第２の生成手段と、
前記第２と第３のフォーマットにそれぞれ対応する第２と第３の記録領域を有し、フォーマットに対応する記録領域にコンテンツを記録する記録手段と、
前記第２と第３のフォーマットのコンテンツを、それぞれ対応する記録媒体としての第２と第３の記録媒体に記録させる媒体記録手段と
を備え、
前記第２と第３のフォーマットは、それぞれ前記第２と第３の記録媒体に対応する記録フォーマットである
コンテンツ記録装置。
【請求項３】
前記受信手段により受信されたコンテンツの記録先となる前記記録手段の記録領域を、前記記録手段に記録された後、前記媒体記録手段による記録先とされることになる前記記録媒体に基づいて判定する制御手段をさらに備え、
前記制御手段は、前記第１および第２のフォーマットと、記録先となる前記記録手段の記録領域との対応関係を示す対応情報を予め有する
請求項１に記載のコンテンツ記録装置。
【請求項４】
前記受信手段により受信されたコンテンツの記録先となる前記記録手段の記録領域を、前記記録手段に記録された後、前記媒体記録手段による記録先とされることになる前記記録媒体に基づいて判定する制御手段をさらに備え、
前記制御手段は、前記第１乃至第３のフォーマットと、記録先となる前記記録手段の記録領域との対応関係を示す対応情報を予め有する
請求項２に記載のコンテンツ記録装置。
【請求項５】
前記記録手段の記録領域のうちの少なくともいずれかは、記録可能なコンテンツの容量が制限されている
請求項１または２に記載のコンテンツ記録装置。
【請求項６】
前記記録手段の記録領域のうちの少なくともいずれかは、記録可能なコンテンツの数が制限されている
請求項１または２に記載のコンテンツ記録装置。
【請求項７】
前記媒体記録手段は、前記記録手段に記録された前記第２と第３のフォーマットのコンテンツを、それぞれ対応する記録媒体としての第２と第３の記録媒体に記録させる
請求項２に記載のコンテンツ記録装置。
【請求項８】
前記受信手段は、さらに、サービス情報を受信し、
前記媒体記録手段は、前記受信手段により受信された前記サービス情報により表される、コンテンツに対して設定されたコピーの制限と、記録先とする記録媒体に対して設定されたコピーの制限に従って、コンテンツのコピーを制御する
請求項１または２に記載のコンテンツ記録装置。
【請求項９】
第１と第２のフォーマットにそれぞれ対応する第１と第２の記録領域を有し、フォーマットに対応する記録領域にコンテンツを記録する記録手段を備えるコンテンツ記録装置のコンテンツ記録方法において、
前記第１のフォーマットのコンテンツを受信し、
前記第１のフォーマットと異なる第２のフォーマットのコンテンツを、受信したコンテンツに基づいて生成し、
前記第１と第２のフォーマットのコンテンツを、それぞれ対応する記録媒体としての第１と第２の記録媒体に記録させる
ステップを含み、
前記第１と第２のフォーマットは、それぞれ前記第１と第２の記録媒体に対応する記録フォーマットである
コンテンツ記録方法。
【請求項１０】
第１と第２のフォーマットにそれぞれ対応する第１と第２の記録領域を有し、フォーマットに対応する記録領域にコンテンツを記録する記録手段を備えるコンテンツ記録装置の処理をコンピュータに実行させるプログラムが記録された記録媒体において、
前記第１のフォーマットのコンテンツを受信し、
前記第１のフォーマットと異なる第２のフォーマットのコンテンツを、受信したコンテンツに基づいて生成し、
前記第１と第２のフォーマットのコンテンツを、それぞれ対応する記録媒体としての第１と第２の記録媒体に記録させる
ステップを含み、
前記第１と第２のフォーマットは、それぞれ前記第１と第２の記録媒体に対応する記録フォーマットである
記録媒体。
【請求項１１】
第１と第２のフォーマットにそれぞれ対応する第１と第２の記録領域を有し、フォーマットに対応する記録領域にコンテンツを記録する記録手段を備えるコンテンツ記録装置の処理をコンピュータに実行させるプログラムにおいて、
前記第１のフォーマットのコンテンツを受信し、
前記第１のフォーマットと異なる第２のフォーマットのコンテンツを、受信したコンテンツに基づいて生成し、
前記第１と第２のフォーマットのコンテンツを、それぞれ対応する記録媒体としての第１と第２の記録媒体に記録させる
ステップを含み、
前記第１と第２のフォーマットは、それぞれ前記第１と第２の記録媒体に対応する記録フォーマットである
プログラム。
【請求項１２】
第２と第３のフォーマットにそれぞれ対応する第２と第３の記録領域を有し、フォーマットに対応する記録領域にコンテンツを記録する記録手段を備えるコンテンツ記録装置のコンテンツ記録方法において、
第１のフォーマットのコンテンツを受信し、
前記第１のフォーマットと異なる前記第２のフォーマットのコンテンツを、受信したコンテンツに基づいて生成し、
前記第１および第２のフォーマットと異なる第３のフォーマットのコンテンツを、受信したコンテンツに基づいて生成し、
前記第２と第３のフォーマットのコンテンツを、それぞれ対応する記録媒体としての第２と第３の記録媒体に記録させる
ステップを含み、
前記第２と第３のフォーマットは、それぞれ前記第２と第３の記録媒体に対応する記録フォーマットである
コンテンツ記録方法。
【請求項１３】
第２と第３のフォーマットにそれぞれ対応する第２と第３の記録領域を有し、フォーマットに対応する記録領域にコンテンツを記録する記録手段を備えるコンテンツ記録装置の処理をコンピュータに実行させるプログラムが記録された記録媒体において、
第１のフォーマットのコンテンツを受信し、
前記第１のフォーマットと異なる前記第２のフォーマットのコンテンツを、受信したコンテンツに基づいて生成し、
前記第１および第２のフォーマットと異なる第３のフォーマットのコンテンツを、受信したコンテンツに基づいて生成し、
前記第２と第３のフォーマットのコンテンツを、それぞれ対応する記録媒体としての第２と第３の記録媒体に記録させる
ステップを含み、
前記第２と第３のフォーマットは、それぞれ前記第２と第３の記録媒体に対応する記録フォーマットである
記録媒体。
【請求項１４】
第２と第３のフォーマットにそれぞれ対応する第２と第３の記録領域を有し、フォーマットに対応する記録領域にコンテンツを記録する記録手段を備えるコンテンツ記録装置の処理をコンピュータに実行させるプログラムにおいて、
第１のフォーマットのコンテンツを受信し、
前記第１のフォーマットと異なる前記第２のフォーマットのコンテンツを、受信したコンテンツに基づいて生成し、
前記第１および第２のフォーマットと異なる第３のフォーマットのコンテンツを、受信したコンテンツに基づいて生成し、
前記第２と第３のフォーマットのコンテンツを、それぞれ対応する記録媒体としての第２と第３の記録媒体に記録させる
ステップを含み、
前記第２と第３のフォーマットは、それぞれ前記第２と第３の記録媒体に対応する記録フォーマットである
プログラム。
【発明の詳細な説明】
【技術分野】
【０００１】
本発明は、コンテンツ記録装置、コンテンツ記録方法、記録媒体、およびプログラムに関し、特に、フォーマットに応じて、記録手段の異なる記録領域にコンテンツを記録することができるようにしたコンテンツ記録装置、コンテンツ記録方法、記録媒体、およびプログラムに関する。
【背景技術】
【０００２】
現在のデジタル放送におけるコンテンツの著作権情報は、トランスポートストリームに多重化されるPSI/SI(Program Specific Information/Service Information)（以下、単にSIという）の中に挿入されるデジタルコピー制御記述子（digital_copy_control_descriptor）によって定義される。
【０００３】
すなわち、デジタルコピー制御記述子は、コンテンツの権利者がコンテンツのコピーに関する情報を受信機側の機器に伝えるために用いられるものである。デジタルコピー制御記述子によって定義される著作権情報には、「Copy Free（制約なしにコピー可）」、「Copy Never（コピー禁止）」、「Copy Once（１世代のみコピー可）」がある。現在では、全ての番組がコピーワンス（Copy Once）コンテンツとして放送されている。
【０００４】
コピーワンスコンテンツは「１世代のみコピー可」のコンテンツであるから、記録装置のHDD(Hard Disk Drive)に１度記録された場合、その時点で「１世代」のコピーが行われたものとして扱われ、コンテンツのCCI(Copy Control Information)は「コピー禁止」とされる。ここで、CCIは、記録装置内部でのそれぞれのコンテンツのコピーの制限に関する情報である。
【０００５】
従って、以降、ユーザは、そのコンテンツをHDDから再生させる限りにおいては視聴することはできるが、記録装置がHDDとDVD(Digital Versatile Disc)ドライブを内蔵するハイブリッド型の装置であっても、DVDにコピーさせて外部のプレーヤで視聴したりすることはできない。
【０００６】
ところで、HDDの記録容量は当然有限であり、HDDの記録容量いっぱいにコンテンツが記録された場合、コンテンツを消去せずに記録容量を確保するためには、リムーバブルメディアにコンテンツをコピーして、HDD内のコンテンツを削除することが考えられるが、上述したような制限からコンテンツによってはそれができない。
【０００７】
そこで、このような問題を解決するために、「ムーブ（Move）」という技術がある。
【０００８】
ムーブは、原則、HDDに記録されているコピーワンスコンテンツを、DVDやBlu-ray Disk（商標）などのリムーバブルメディアにコピーし、コピーが終了したときに、HDD内のムーブ元のコンテンツを全て消去することにより、利用可能な１つのコンテンツをリムーバブルメディア上に残しつつ、HDD上からはそれを利用できなくする技術である。
【０００９】
これにより、ユーザは、内部のHDDに記録されたコンテンツであっても、他のリムーバブルメディアに記録させることが可能となり、コンテンツが記録（ムーブ）されたリムーバブルメディアを他のプレーヤに装着することなどにより、HDD上以外からでもコンテンツを利用することができる。
【００１０】
特許文献１には、PMT(Program Map Table)に記述されたMove_Pause記述子の内容に基づいてムーブ処理やポーズ処理を制御する技術が開示されている。
【特許文献１】特開２００３−１６７２５号公報
【発明の開示】
【発明が解決しようとする課題】
【００１１】
一般的な記録装置においては、記録装置のHDDに記録された後、最終的に、上述したようなムーブやコピーが行われ、リムーバブルメディアにダビングされるコンテンツであっても、そのダビング先となるリムーバブルメディアの種類にかかわらず、同じHDDに記録されるようになされている。
【００１２】
ARIB(Association of Radio Industries and Businesses)の規定が改訂されることにより、将来的に、例えば、DVDであれば５回まで１つのコンテンツをコピーすることが認められ、メモリカードであれば１０回まで１つのコンテンツをコピーすることが認められるといったように、１つのコンテンツを複数回コピーすることが認められるようになることが想定される。
【００１３】
この場合、最終的なコピー先となるリムーバブルメディア毎に分けた形で、それぞれのコンテンツがHDDに記録されるようになれば、ユーザの使い勝手が向上するものと考えられる。例えば、コピー先となるリムーバブルメディアが決まっている場合、それにコピーさせることのできるコンテンツが記録される領域だけを対象として、コピーさせるコンテンツを探したりすることができる。
【００１４】
また、コンテンツの容量や数などによって、それぞれの領域に記録可能なコンテンツが制限されることによっても、ユーザが容易にコンテンツを扱うことができるようになるものと考えられる。
【００１５】
本発明はこのような状況に鑑みてなされたものであり、例えば最終的な記録先となる記録媒体のフォーマットに応じて、記録手段の異なる記録領域にコンテンツを記録することができるようにするものである。
【課題を解決するための手段】
【００１６】
本発明の一側面のコンテンツ記録装置は、第１のフォーマットのコンテンツを受信する受信手段と、前記第１のフォーマットと異なる第２のフォーマットのコンテンツを前記受信手段により受信されたコンテンツに基づいて生成する生成手段と、前記第１と第２のフォーマットにそれぞれ対応する第１と第２の記録領域を有し、フォーマットに対応する記録領域にコンテンツを記録する記録手段と、前記第１と第２のフォーマットのコンテンツを、それぞれ対応する記録媒体としての第１と第２の記録媒体に記録させる媒体記録手段とを備え、前記第１と第２のフォーマットは、それぞれ前記第１と第２の記録媒体に対応する記録フォーマットとされる。
【００１７】
本発明の他の側面のコンテンツ記録装置は、第１のフォーマットのコンテンツを受信する受信手段と、前記第１のフォーマットと異なる第２のフォーマットのコンテンツを前記受信手段により受信されたコンテンツに基づいて生成する第１の生成手段と、前記第１および第２のフォーマットと異なる第３のフォーマットのコンテンツを前記受信手段により受信されたコンテンツに基づいて生成する第２の生成手段と、前記第２と第３のフォーマットにそれぞれ対応する第２と第３の記録領域を有し、フォーマットに対応する記録領域にコンテンツを記録する記録手段と、前記第２と第３のフォーマットのコンテンツを、それぞれ対応する記録媒体としての第２と第３の記録媒体に記録させる媒体記録手段とを備え、前記第２と第３のフォーマットは、それぞれ前記第２と第３の記録媒体に対応する記録フォーマットとされる。
【００１８】
前記受信手段により受信されたコンテンツの記録先となる前記記録手段の記録領域を、前記記録手段に記録された後、前記媒体記録手段による記録先とされることになる前記記録媒体に基づいて判定する制御手段をさらに設けることができる。この場合、前記制御手段には、前記第１および第２のフォーマットと、記録先となる前記記録手段の記録領域との対応関係を示す対応情報を予め与えておくことができる。
【００１９】
前記受信手段により受信されたコンテンツの記録先となる前記記録手段の記録領域を、前記記録手段に記録された後、前記媒体記録手段による記録先とされることになる前記記録媒体に基づいて判定する制御手段をさらに設けることができる。この場合、前記制御手段には、前記第１乃至第３のフォーマットと、記録先となる前記記録手段の記録領域との対応関係を示す対応情報を予め与えておくことができる。
【００２０】
前記記録手段の記録領域のうちの少なくともいずれかは、記録可能なコンテンツの容量が制限されるようにすることができる。
【００２１】
前記記録手段の記録領域のうちの少なくともいずれかは、記録可能なコンテンツの数が制限されるようにすることができる。
【００２２】
前記媒体記録手段には、前記記録手段に記録された前記第２と第３のフォーマットのコンテンツを、それぞれ対応する記録媒体としての第２と第３の記録媒体に記録させることができる。
【００２３】
前記受信手段には、さらに、サービス情報を受信させ、前記媒体記録手段には、前記受信手段により受信された前記サービス情報により表される、コンテンツに対して設定されたコピーの制限と、記録先とする記録媒体に対して設定されたコピーの制限に従って、コンテンツのコピーを制御させることができる。
【００２４】
本発明の一側面のコンテンツ記録方法、記録媒体に記録されているプログラム、およびプログラムは、第１と第２のフォーマットにそれぞれ対応する第１と第２の記録領域を有し、フォーマットに対応する記録領域にコンテンツを記録する記録手段を備えるコンテンツ記録装置のコンテンツ記録方法において、前記第１のフォーマットのコンテンツを受信し、前記第１のフォーマットと異なる第２のフォーマットのコンテンツを、受信したコンテンツに基づいて生成し、前記第１と第２のフォーマットのコンテンツを、それぞれ対応する記録媒体としての第１と第２の記録媒体に記録させるステップを含み、前記第１と第２のフォーマットは、それぞれ前記第１と第２の記録媒体に対応する記録フォーマットとされる。
【００２５】
本発明の他の側面のコンテンツ記録方法、記録媒体に記録されているプログラム、およびプログラムは、第２と第３のフォーマットにそれぞれ対応する第２と第３の記録領域を有し、フォーマットに対応する記録領域にコンテンツを記録する記録手段を備えるコンテンツ記録装置のコンテンツ記録方法において、第１のフォーマットのコンテンツを受信し、前記第１のフォーマットと異なる前記第２のフォーマットのコンテンツを、受信したコンテンツに基づいて生成し、前記第１および第２のフォーマットと異なる第３のフォーマットのコンテンツを、受信したコンテンツに基づいて生成し、前記第２と第３のフォーマットのコンテンツを、それぞれ対応する記録媒体としての第２と第３の記録媒体に記録させるステップを含み、前記第２と第３のフォーマットは、それぞれ前記第２と第３の記録媒体に対応する記録フォーマットとされる。
【００２６】
本発明の一側面においては、第１のフォーマットのコンテンツが受信され、前記第１のフォーマットと異なる第２のフォーマットのコンテンツが、受信されたコンテンツに基づいて生成され、前記第１と第２のフォーマットのコンテンツが、それぞれ対応する記録媒体としての第１と第２の記録媒体に記録される。前記第１と第２のフォーマットは、それぞれ前記第１と第２の記録媒体に対応する記録フォーマットとされる。
【００２７】
本発明の他の側面においては、第１のフォーマットのコンテンツが受信され、前記第１のフォーマットと異なる第２のフォーマットのコンテンツが、受信されたコンテンツに基づいて生成される。また、前記第１および第２のフォーマットと異なる第３のフォーマットのコンテンツが、受信されたコンテンツに基づいて生成され、前記第２と第３のフォーマットのコンテンツが、それぞれ対応する記録媒体としての第２と第３の記録媒体に記録される。前記第２と第３のフォーマットは、それぞれ前記第２と第３の記録媒体に対応する記録フォーマットとされる。
【発明の効果】
【００２８】
本発明によれば、フォーマットに応じて、記録手段の異なる記録領域にコンテンツを記録することができる。
【発明を実施するための最良の形態】
【００２９】
以下に本発明の実施の形態を説明するが、本発明の構成要件と、明細書又は図面に記載の実施の形態との対応関係を例示すると、次のようになる。この記載は、本発明をサポートする実施の形態が、明細書又は図面に記載されていることを確認するためのものである。従って、明細書又は図面中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が発明に対応するものとしてここに記載されていたとしても、そのことは、その実施の形態が、その構成要件以外には対応しないものであることを意味するものでもない。
【００３０】
本発明の一側面のコンテンツ記録装置（例えば、図１８のコンテンツ記録装置１）は、第１のフォーマットのコンテンツを受信する受信手段（例えば、図１８のデジタル放送チューナ１１）と、前記第１のフォーマットと異なる第２のフォーマットのコンテンツを前記受信手段により受信されたコンテンツに基づいて生成する生成手段（例えば、図１８のトランスコーダ２１−１）と、前記第１と第２のフォーマットにそれぞれ対応する第１と第２の記録領域を有し、フォーマットに対応する記録領域にコンテンツを記録する記録手段（例えば、図１８のHDD１５）と、前記第１と第２のフォーマットのコンテンツを、それぞれ対応する記録媒体としての第１と第２の記録媒体に記録させる媒体記録手段（例えば、図２のコンテンツ管理部４３）とを備える。
【００３１】
本発明の他の側面のコンテンツ記録装置（例えば、図１８のコンテンツ記録装置１）は、第１のフォーマットのコンテンツを受信する受信手段（例えば、図１８のデジタル放送チューナ１１）と、前記第１のフォーマットと異なる第２のフォーマットのコンテンツを前記受信手段により受信されたコンテンツに基づいて生成する第１の生成手段（例えば、図１８のトランスコーダ２１−１）と、前記第１および第２のフォーマットと異なる第３のフォーマットのコンテンツを前記受信手段により受信されたコンテンツに基づいて生成する第２の生成手段（例えば、図１８のトランスコーダ２１−２）と、前記第２と第３のフォーマットにそれぞれ対応する第２と第３の記録領域を有し、フォーマットに対応する記録領域にコンテンツを記録する記録手段（例えば、図１８のHDD１５）と、前記第２と第３のフォーマットのコンテンツを、それぞれ対応する記録媒体としての第２と第３の記録媒体に記録させる媒体記録手段（例えば、図２のコンテンツ管理部４３）とを備える。
【００３２】
以下、本発明の実施の形態について図を参照して説明する。
【００３３】
図１は、本発明の一実施形態に係るコンテンツ記録装置１の構成例を示すブロック図である。
【００３４】
図１のコンテンツ記録装置１には、ケーブルなどを介してTV２が接続され、ネットワーク３を介して外部記録媒体４が接続されている。また、リムーバブルメディア５がコンテンツ記録装置１に対して着脱可能とされている。リムーバブルメディア５は、Blu-rayディスク５Ａと、フラッシュメモリを搭載したメモリカード５Ｂから構成されている。
【００３５】
コンテンツ記録装置１のデジタル放送チューナ１１は、CPU(Central Processing Unit)１４による制御に従って、アンテナからの放送信号を受信、復調し、所定のチャンネルで放送されるトランスポートストリームをDEMUX１２に出力する。
【００３６】
DEMUX１２は、デジタル放送チューナ１１から供給されたトランスポートストリームに施されているスクランブルを解除した後、スクランブルを解除して得られたトランスポートストリームから所定のストリームをCPU１４による制御に従って抽出し、抽出したストリームを記録対象のコンテンツとしてスイッチ回路１３に出力する。
【００３７】
また、DEMUX１２は、トランスポートストリームから抽出したSI(Service Information)をCPU１４に出力する。CPU１４に出力されるSIには、放送されるそれぞれのコンテンツのコピーの制限を定義する情報が含まれる。
【００３８】
スイッチ回路１３は、CPU１４による制御に従ってスイッチ３１を端子３２Ａまたは端子３２Ｂに接続し、DEMUX１２から供給されたMPEG(Moving Picture Experts Group)2などの所定の方式で圧縮されたコンテンツをHDD(Hard Disk Drive)１５に出力する。スイッチ３１が端子３２Ａに接続されているときにスイッチ回路１３から出力されたコンテンツはHDD１５の領域Ａに記録され、スイッチ３１が端子３２Ｂに接続されているときにスイッチ回路１３から出力されたコンテンツはHDD１５の領域Ｂに記録される。
【００３９】
CPU１４は、図示せぬROM(Read Only Memory)に記憶されたプログラムなどを実行し、コンテンツ記録装置１の全体の動作を制御する。
【００４０】
例えば、CPU１４は、DEMUX１２から供給されたSIを解析し、解析結果や記録先の設定に基づいて、対象になっているコンテンツの記録先となるHDD１５の領域を判定する。
【００４１】
CPU１４は、記録対象になっているコンテンツが「１世代のみコピー可」としてコピーの制限が設定されているコピーワンスコンテンツであって、記録先とするHDD１５の領域が領域Ａとして指定されているコンテンツであると判断した場合、スイッチ回路１３のスイッチ３１を端子３２Ａに接続させる。
【００４２】
例えば、記録対象とするコピーワンスコンテンツを領域Ａに記録することがユーザによって設定されている場合、あるいは、コンテンツ記録装置１のデフォルトの状態で、コピーワンスコンテンツは領域Ａに記録するものとして設定されている場合、CPU１４は、記録対象になっているコピーワンスコンテンツの記録先をHDD１５の領域Ａとすることが指定されていると判断する。
【００４３】
CPU１４は、記録対象になっているコンテンツがコピーワンスコンテンツであって、記録先とするHDD１５の領域が領域Ｂとして指定されているコンテンツであると判断した場合、または、記録対象になっているコンテンツがコピーワンスコンテンツ以外のコンテンツである例えばコピーフリー（Copy Free）コンテンツであると判断した場合、スイッチ回路１３のスイッチ３１を端子３２Ｂに接続させる。
【００４４】
また、CPU１４は、HDD１５に形成されるそれぞれの領域の容量に関する情報である容量情報をHDD１５から取得し、容量に関する通知をユーザに対して行う。例えば、CPU１４は、領域毎に、領域全体の容量に対してどのくらいの容量に既にコンテンツが記録されているのかをグラフィックで表したり、音声で通知したりする。また、コンテンツを記録させることが可能な残りの空き領域の容量が少なくなってきた場合、そのことを表す情報を表示したり、音声で通知したりする。
【００４５】
CPU１４は、HDD１５に記録されているコンテンツをリムーバブルメディア５にダビングすることなども行う。ここで、「ダビング」は、上述した「ムーブ」と「コピー」を含む概念である。「ムーブ」は、ムーブ元のコンテンツを残すことなく、HDDに記録されているコンテンツをリムーバブルメディア５に記録させることをいい、「コピー」は、コピー元のコンテンツを残しつつ、HDDに記録されているコンテンツをリムーバブルメディア５に記録させることをいう。
【００４６】
HDD１５には、その記録領域全体に領域Ａと領域Ｂが形成され、スイッチ回路１３から供給されたコンテンツがそれぞれの領域に記録される。それぞれの領域は、物理的に区切られることによって形成されるようにしてもよいし、論理的に区切って管理されることによって、形成されるようにしてもよい。
【００４７】
図１の例においては、領域Ａは、そこに記録されたコピーワンスコンテンツがリムーバブルメディア５にムーブされた場合でもムーブの元になったオリジナルのコンテンツを消去しなくてもよいことが許可された、いわば特別な領域とされている。コピーの回数が設定されている場合、その回数の範囲でコピーを行うことが可能とされる。
【００４８】
一方、領域Ｂは、そこに記録されたコピーワンスコンテンツがリムーバブルメディア５にムーブされた場合にはムーブの元になったオリジナルのコンテンツを消去しなければならない、いわば通常の領域とされている。領域Ｂに記録されたコピーフリーコンテンツは、通常どおり、制限なく、コピー等を自由に行うことが可能とされる。
【００４９】
ムーブを行った場合でもムーブの元になったオリジナルのコンテンツを消去しなくてもよいようなコピーワンスコンテンツをユーザが無制限に残しておくことができないように領域は制限することが可能である。例えば、HDD１５全体の記録容量が２００GBであるとすると、領域Ａは５０GBとして制限される。
【００５０】
これにより、全てのコピーワンスコンテンツを複数回コピーを許すのを防ぎ、コンテンツの権利者を保護しつつ、ユーザによる使い勝手を向上させることができる。ユーザは、記録装置１から再生することによっても視聴したいし、コピーによってリムーバブルメディア５に記録させ、リムーバブルメディア５を装着させた他の機器に再生させることによっても視聴したいと思うようなコピーワンスコンテンツを領域Ａに記録させておくことによって、それを実現することができる。
【００５１】
その後、リムーバブルメディア等にコピーすることによりコピー回数の権利が消失した場合、領域Ｂに移動することにより、通常の概念のコピーワンスコンテンツとして扱われ、ムーブの権利は残る。
【００５２】
考え方として、通常のコピーワンスコンテンツの概念で処理される実体をはじめから領域Ｂにおき、コピー可能なものだけ領域Ａにもおくという処理方法も可能である。
【００５３】
領域Ａと領域Ｂがこのような領域とされていて、且つ領域Ａの容量や数が限定されている場合、領域Ａに記録されたコピーワンスコンテンツを領域Ｂに移動することにより、領域Ａに記録可能なコンテンツの空き領域が確保されることになり、ユーザは、空き領域に、複数回コピー可能なコピーワンスコンテンツを新たに記録させることができる。
【００５４】
領域Ａに存在するときにコピー回数の権利を全て使用し、領域Ｂに移されたコピーワンスコンテンツでも、そのコピーされたリムーバブルメディア等からムーブバック処理が行われた場合は領域Ａに再度移され、コピー前と同じようにして管理することが可能である。ここで、ムーブバック処理は、リムーバブルメディア５に記録されたコンテンツをリムーバブルメディア５から消去し、その代わりに、バックアップしていたデータに基づいて、コピー元のオリジナルのコンテンツの利用権限をユーザに再度復帰させる処理である。ムーブバック処理は権利の復活であり、画質はオリジナルコンテンツとかわることはない。  
【００５５】
領域Ａに記録されたコンテンツのリストの表示をユーザが指示した場合、ムーブバック処理が行われることによって領域Ａに移されたコピーワンスコンテンツの情報がタイトルリストに表示され、ユーザは、そのタイトルリストから、領域Ａに再度移されたコピーワンスコンテンツの再生やコピーなどを指示することができる。
【００５６】
以上のような領域からなるHDD１５に記録されているコンテンツは、適宜、デコーダ１６、ネットワーク端子２０に供給される。
【００５７】
デコーダ１６は、HDD１５から供給されたビデオデータ（ビデオパケット）をデコードし、得られたビデオデータをグラフィック回路１７に出力する。デコーダ１６から供給されたビデオデータに基づいて、記録済みのコンテンツの映像がグラフィック回路１７により生成される。なお、図１においてはビデオデータの経路のみが示されているが、オーディオデータについても図示せぬデコーダによりデコードされ、得られたデータに基づいて音声の出力が行われる。
【００５８】
グラフィック回路１７は、CPU１４から供給されたGUI(Graphical User Interface)のデータに基づいて、領域全体の容量に対してどのくらいの容量にコンテンツが既に記録されているのかを各領域毎にグラフィックで表すためのデータを生成し、そのようなグラフィックを映像端子１８を介してTV２に表示させる。また、グラフィック回路１７は、デコーダ１６から供給されたビデオデータに基づいて、記録済みのコンテンツの映像を映像端子１８を介してTV２に表示させる。
【００５９】
映像端子１８は、グラフィック回路１７から供給されたデータに基づいて各種の画面をTV２に表示させる。
【００６０】
音声端子１９は、CPU１４から供給されたデータに基づいて各種の音声をTV２のスピーカから出力させる。TV２からは、上述したようなHDD１５の容量に関する音声などが出力される。
【００６１】
ネットワーク端子２０は、CPU１４による制御に従って、HDD１５に記録されているコンテンツを読み出し、読み出したコンテンツをHDDなどよりなる外部記録媒体４に記録させたり、CPU１４による制御に従って、HDD１５の容量に関するユーザへの通知をメールサーバ２１を介してパソコン２２や携帯電話機２３にメール送信する。
【００６２】
図２は、コンテンツ記録装置１のCPU１４の機能構成例を示すブロック図である。図２に示す構成の少なくとも一部は、図１のCPU１４により所定のプログラムが実行されることによって実現される。
【００６３】
図２に示されるように、コンテンツ記録装置１においては、SI解析部４１、記録制御部４２、コンテンツ管理部４３、表示制御部４４、出力制御部４５、および通信制御部４６が実現される。
【００６４】
SI解析部４１は、DEMUX１２から供給されたSIを解析し、記録対象になっているコンテンツのコピーの制限を表す情報であるCCI(Copy Control Information)を記録制御部４２に出力する。
【００６５】
記録制御部４２は、SI解析部４１から供給されたCCIに応じて、あるいはユーザによる指定などに応じて、スイッチ回路１３に設けられるスイッチ３１の接続を切り替え、記録対象になっているコンテンツの記録先となるHDD１５の領域を制御する。記録先となるHDD１５の領域を制御するとき、記録制御部４２は、適宜、HDD１５の容量の確認なども行う。記録制御部４２は、コンテンツをHDD１５に記録させたとき、記録させたコンテンツについてのCCIをコンテンツ管理部４３に出力する。
【００６６】
コンテンツ管理部４３は、HDD１５に記録されているコンテンツを管理する。例えば、コンテンツ管理部４３は、HDD１５に記録されているコンテンツのダビングがユーザにより指示されたとき、記録制御部４２から供給されたCCIにより表される制限に従って、HDD１５に記録されているコンテンツをリムーバブルメディア５にダビングさせる。
【００６７】
また、コンテンツ管理部４３は、HDD１５に形成されるそれぞれの領域の容量に関する情報である容量情報をHDD１５から取得し、表示制御部４４、出力制御部４５、または通信制御部４６を制御することによって、容量に関する情報をユーザに通知する。また、コンテンツ管理部４３は、表示制御部４４を制御して、HDD１５に記録されているコンテンツのリストをTV２に表示させたりする。
【００６８】
表示制御部４４は、コンテンツ管理部４３による制御に従ってGUIデータを生成し、生成したGUIデータをグラフィック回路１７に出力することによって、所定の画面をTV２に表示させる。例えば、HDD１５の容量に関する情報がTV２に表示され、ユーザに通知される。
【００６９】
出力制御部４５は、コンテンツ管理部４３による制御に従って音声端子１９を介して音声をTV２から出力させ、HDD１５の容量に関する通知をユーザに対して行う。
【００７０】
通信制御部４６は、コンテンツ管理部４３による制御に従って、HDD１５に記録されているコンテンツをネットワーク端子２０を介して外部記録媒体４に送信し、記録させる。また、通信制御部４６は、HDD１５の容量に関するユーザへの通知をネットワーク端子２０、メールサーバ２１を介して電子メールによって行う。通信制御部４６に対しては、ユーザのパソコン２２や携帯電話機２３の電子メールアドレスなどがユーザによりあらかじめ設定されている。
【００７１】
ここで、以上のような構成を有するコンテンツ記録装置１の動作について説明する。
【００７２】
はじめに、図３のフローチャートを参照して、コンテンツの記録を制御するコンテンツ記録装置１の処理について説明する。
【００７３】
上述したように、リムーバブルメディア５にムーブしたとしてもムーブ元のコンテンツを消去しないことが許可されたコピーワンスコンテンツが記録される領域Ａの容量は制限されており、領域Ａに対するコピーワンスコンテンツの記録は、その制限の範囲で行われる。
【００７４】
図３の処理は、例えば、コンテンツの記録（録画）の予約時に行われる。放送予定の番組のリストなどから記録対象とするコンテンツがユーザにより選択されたとき、そのコンテンツに関するSIがDEMUX１２により抽出され、SI解析部４１に供給される。記録対象とするコンテンツが選択されたとき、適宜、記録先とするHDD１５の領域がユーザにより続けて選択される。
【００７５】
ステップＳ１において、SI解析部４１はSIを解析し、記録対象になっているコンテンツのCCIを記録制御部４２に出力する。
【００７６】
ステップＳ２において、記録制御部４２は、SI解析部４１から供給されたCCIと、ユーザによる設定、またはデフォルトの設定などに基づいて、記録対象となっているコンテンツが、記録先をHDD１５の領域Ａとすることが指定されているコピーワンスコンテンツであるか否かを判定する。
【００７７】
記録制御部４２は、ステップＳ２において、記録対象となっているコンテンツが記録先をHDD１５の領域Ａとすることが指定されているコピーワンスコンテンツであると判定した場合、ステップＳ３に進み、HDD１５にアクセスし、領域Ａに記録済みのコンテンツの量を確認する。
【００７８】
ステップＳ４において、記録制御部４２は、ステップＳ３での確認の結果、記録対象となっているコピーワンスコンテンツを記録することができる容量の空き領域が領域Ａに残っているか否かを判定する。
【００７９】
記録制御部４２は、ステップＳ４において、記録対象となっているコピーワンスコンテンツを記録することができる容量の空き領域が領域Ａに残っていると判定した場合、ステップＳ５に進み、記録先を領域Ａとして、対象になっているコピーワンスコンテンツの記録予約を設定する。その後、処理は終了され、記録対象になっているコピーワンスコンテンツの放送が開始されたとき、スイッチ回路１３のスイッチ３１が端子３２Ａに接続され、コピーワンスコンテンツが領域Ａに記録される。
【００８０】
ステップＳ４において、記録制御部４２は、記録対象となっているコピーワンスコンテンツを記録することができる容量の空き領域が領域Ａに残っていないと判定した場合、ステップＳ５をスキップし、処理を終了させる。このとき、記録先を領域Ｂとした形で、記録対象となっているコピーワンスコンテンツの記録予約が設定されるようにしてもよい。
【００８１】
一方、ステップＳ２において、記録制御部４２は、SI解析部４１から供給されたCCIと、ユーザによる設定、またはデフォルトの設定などに基づいて、記録対象となっているコンテンツが、記録先をHDD１５の領域Ａとすることが指定されているコピーワンスコンテンツではない、すなわち、記録先をHDD１５の領域Ｂとすることが指定されているコピーワンスコンテンツ、またはコピーフリーのコンテンツであると判定した場合、ステップＳ６に進む。
【００８２】
ステップＳ６において、記録制御部４２は、記録先を領域Ｂとして、対象になっているコンテンツの記録予約を設定する。その後、処理は終了され、記録対象になっているコンテンツの放送が開始されたとき、スイッチ回路１３のスイッチ３１が端子３２Ｂに接続され、コンテンツが領域Ｂに記録される。なお、領域Ｂを記録先とする場合も、適宜、空き領域の容量の確認が行われる。
【００８３】
以上の処理により、容量によって、領域Ａへのコピーワンスコンテンツの記録が制限される。
【００８４】
次に、図４のフローチャートを参照して、記録済みのコンテンツの容量をユーザに通知するコンテンツ記録装置１の処理について説明する。
【００８５】
ステップＳ１１において、コンテンツ管理部４３は、HDD１５に記録済みのコンテンツの容量を通知することがユーザにより指示されたか否かを判定し、指示されたと判定するまで待機する。ユーザによる指示は、例えば、リモートコントローラによって行われる。
【００８６】
コンテンツ管理部４３は、ステップＳ１１において、記録済みのコンテンツの容量を通知することがユーザにより指示されたと判定した場合、ステップＳ１２に進み、HDD１５にアクセスすることによって、領域Ａと領域Ｂのそれぞれの領域の容量、あるいは、ユーザにより指定されたいずれかの領域の容量に関する情報である容量情報を取得する。また、コンテンツ管理部４３は、表示制御部４４、出力制御部４５を制御することによって、TV２に表示されるグラフィックやTV２から出力される音声により、記録済みのコンテンツの容量をユーザに通知する。
【００８７】
記録済みのコンテンツの容量を表すグラフィックは、例えば、領域全体の容量を表す円グラフや棒グラフに対して、記録済みの領域と空き領域がその容量に応じて色分けして表示されたものとされる。これにより、ユーザは、記録済みの領域の容量と空き領域の容量を、視覚的に容易に把握することができる。
【００８８】
次に、図５のフローチャートを参照して、記録可能な残りの空き領域の容量をユーザに通知するコンテンツ記録装置１の処理について説明する。
【００８９】
この処理は、例えば、所定の周期で繰り返し行われたり、記録予約に従ってコンテンツの記録が行われた後などの所定のタイミングで行われたりする。
【００９０】
ステップＳ２１において、コンテンツ管理部４３は、HDD１５にアクセスすることによって、領域Ａと領域Ｂのそれぞれの領域の容量に関する情報である容量情報を取得し、領域毎の残りの空き領域の容量を確認する。
【００９１】
ステップＳ２２において、表示制御部４４は、残りの空き領域の容量が、閾値として設定された所定の容量よりも少ないか否かを判定し、少ないと判定した場合、ステップＳ２３に進み、容量が少ないことをユーザに通知する。
【００９２】
例えば、領域Ａに対して５０GBの容量が確保されている場合、残りの空き領域の容量が５GBを切ったときなどにユーザに対して通知が行われる。また、所定の転送レートのコンテンツを記録することが可能な時間が１時間を切ったときなどにユーザに対して通知が行われる。通知を行うか否かを判断する基準となる閾値の容量や時間は、ユーザにより設定されるようにしてもよい。
【００９３】
ユーザに対する通知は、表示制御部４４、出力制御部４５が制御され、「領域Ａの空き容量が少なくなっています。」などのメッセージがTV２に表示されることによって行われるようにしてもよいし、そのような音声がTV２から出力されることによって行われるようにしてもよい。また、通信制御部４６が制御され、図６に示されるようなメッセージが電子メールによってユーザの携帯電話機などに送信されることによって行われるようにしてもよい。
【００９４】
コンテンツ記録装置１においては、ムーブやコピーが可能とされているコンテンツについては、残りの空き領域の容量が少なくなったとき、外部記録媒体４やリムーバブルメディア５に自動的に退避させることを設定することができるようになされており、ステップＳ２４において、コンテンツ管理部４３は、そのような設定がされていることから、残りの空き領域の容量が少なくなったと判断された領域に記録されているコンテンツを退避させるか否かを判定する。
【００９５】
コンテンツ管理部４３は、ステップＳ２４において、残りの空き領域の容量が少なくなったと判断された領域に記録されているコンテンツを退避させると判定した場合、ステップＳ２５に進み、残りの空き領域の容量が少なくなったと判断された領域に記録されている所定のコンテンツを退避させる。その後、処理は終了される。
【００９６】
例えば、領域Ａの残りの空き領域の容量が少なくなっている場合、領域Ａに記録されているコピーワンスコンテンツは、１度、外部記録媒体４に退避され、これにより、領域Ａの空き領域が確保される。外部記録媒体４に退避されたコピーワンスコンテンツは、領域Ａの空き領域の容量が所定の閾値の容量より多く、空き領域に余裕ができたときなどの所定のタイミングで領域Ａに自動的に戻されるようにしてもよい。
【００９７】
一方、ステップＳ２２において、残りの空き領域の容量が閾値として設定された所定の容量よりも多いと判定された場合、または、ステップＳ２４において、残りの空き領域の容量が少なくなったと判断された領域に記録されているコンテンツを退避させる処理を行うことが設定されていないと判定された場合、処理は終了される。
【００９８】
以上の処理により、ユーザは、残りの空き領域の容量の通知を受けることができ、通知を受けることに応じて、空き領域を増やすなどの措置をとることができる。
【００９９】
次に、図７のフローチャートを参照して、タイトルリストを表示させるコンテンツ記録装置１の処理について説明する。
【０１００】
例えば、リモートコントローラが操作され、タイトルリストを表示することがユーザにより指示された場合、ステップＳ３１において、コンテンツ管理部４３は、HDD１５に記録されているコンテンツの情報を取得し、表示制御部４４を制御することによってタイトルリストをTV２に表示させる。TV２に表示されるタイトルリストには、HDD１５に記録されているコンテンツのタイトルや記録日時などの情報がリスト表示される。
【０１０１】
図８Ａは、タイトルリストの表示例を示す図である。
【０１０２】
図８Ａの例においては、HDD１５に記録されているコンテンツのタイトルであるコンテンツＡ乃至Ｆが表示され、そのうちのコンテンツＡにカーソルＣ1があてられている。ユーザは、リモートコントローラに設けられている十字キーのうちの上下キーを押すことによってカーソルＣ1があてられるコンテンツを切り換えることができ、所定の操作を行うことによって、そのときカーソルＣ1があてられるコンテンツの再生やダビングなどを指示することができる。
【０１０３】
また、図８Ａの例においては、コンテンツＢ，Ｄ，Ｆの左隣にマークＭ1乃至Ｍ3がそれぞれ表示されている。マークＭ1乃至Ｍ3は、隣に表示されているコンテンツがコピーワンスコンテンツであることを表す。
【０１０４】
HDD１５にはコピーワンスコンテンツとコピーフリーコンテンツが混在して記録されることもあるから、このように、コピーワンスコンテンツであることを表すマーク（アイコン）が表示されることにより、ユーザは、タイトルリストに表示されているコンテンツの中から、コピーワンスコンテンツを容易に判別することができる。
【０１０５】
コピーワンスコンテンツに対してではなく、コンテンツＡ，Ｃ，Ｅに対して、そのコンテンツがコピーフリーコンテンツであることを表す所定のマークが付されるようにしてもよい。また、コピーワンスコンテンツとコピーフリーコンテンツの情報がそれぞれ異なる色で表示され、それにより、それぞれのコンテンツのコピーの制限をユーザが判別することができるようにしてもよい。
【０１０６】
さらに、所定のコンテンツがカーソルＣ1により選択されたとき、カーソルＣ1により選択されたコンテンツがコピーフリーコンテンツであるのかコピーワンスコンテンツであるのかを表す説明（文章）やアイコンがタイトルリストの所定の位置に表示されるようにしてもよい。
【０１０７】
図８Ａの例においては、タイトルリストの右下にコピーフリーボタン５１とコピーワンスボタン５２が表示され、コピーフリーボタン５１に対してカーソルＣ2があてられている。ユーザは、リモートコントローラに設けられている十字キーのうちの左右キーを押すことによってカーソルＣ2があてられるボタンを切り換えることができ、所定の操作を行うことによって、カーソルＣ2があてられているボタンを押すことができる。コピーフリーボタン５１は、コピーフリーコンテンツの情報をリスト表示させるときに操作される専用のボタンであり、コピーワンスボタン５２は、コピーワンスコンテンツの情報をリスト表示させるときに操作される専用のボタンである。
【０１０８】
図７の説明に戻り、ステップＳ３２において、表示制御部４４は、タイトルリストに表示されているコピーフリーボタン５１がユーザにより押されたか否かを判定し、押されたと判定した場合、ステップＳ３３に進み、タイトルリストの表示を、コピーフリーコンテンツの情報がリスト表示されるように切り換える。
【０１０９】
一方、ステップＳ３３において、コピーフリーボタン５１がユーザにより押されていないと判定した場合、表示制御部４４は、ステップＳ３４に進み、コピーワンスボタン５２が押されたか否かを判定する。
【０１１０】
表示制御部４４は、ステップＳ３４において、コピーワンスボタン５２が押されたと判定した場合、ステップＳ３５に進み、タイトルリストの表示を、コピーワンスコンテンツの情報がリスト表示されるように切り換える。
【０１１１】
ステップＳ３３，Ｓ３５においてタイトルリストの表示が切り換えられた場合、またはステップＳ３４においてコピーワンスボタン５２が押されていないと判定された場合、処理は終了される。
【０１１２】
図８Ｂは、コピーフリーボタン５１が押されたときに表示されるタイトルリストの例を示す図であり、図８Ｃは、コピーワンスボタン５２が押されたときに表示されるタイトルリストの例を示す図である。
【０１１３】
図８Ｂの例においては、コピーフリーコンテンツのタイトルであるコンテンツＡ，Ｃ，Ｅがリスト表示されている。また、図８Ｃの例においては、コピーワンスコンテンツのタイトルであるコンテンツＢ，Ｄ，Ｆがリスト表示されている。
【０１１４】
コピーフリーボタン５１、コピーワンスボタン５２を押すでタイトルリストの表示を切り換えることができるようにすることにより、ユーザは、コピーフリーコンテンツ、あるいはコピーワンスコンテンツの閲覧を容易に行うことができる。
【０１１５】
なお、領域Ａに記録されているコンテンツ（コピーワンスコンテンツ）の情報をリスト表示させるときに操作される専用のボタンや、領域Ｂに記録されているコンテンツ（コピーワンスコンテンツ、コピーフリーコンテンツ）の情報をリスト表示させるときに操作される専用のボタンなどのように、それぞれの領域に記録されているコンテンツの情報をリスト表示するときに操作される専用のボタンが設けられるようにしてもよい。
【０１１６】
図９は、番組表の表示例を示す図である。
【０１１７】
TV２にはコピーワンスコンテンツとコピーフリーコンテンツが混在して表示されるので、コピーワンスコンテンツであることを表すマーク（アイコン）が表示されることにより、ユーザは、番組表に表示されているコンテンツの中から、コピーワンスコンテンツを容易に判別することができる。
【０１１８】
コピーワンスコンテンツに対してではなく、コピーワンスコンテンツでないことを表す所定のマークが付されるようにしてもよい。また、コピーワンスコンテンツとコピーワンスでないコンテンツの情報が図１０で示されるようにそれぞれ異なる色で表示され、それにより、それぞれのコンテンツのコピーの制限をユーザが判別することができるようにしてもよい。
【０１１９】
さらに、所定のコンテンツがユーザ操作により選択されたとき、選択されたコンテンツがコピーワンスコンテンツである場合、図１１で示されるようにコピーワンスに関する説明（文章）やアイコンが番組表の所定の位置に表示されるようにしてもよい。
【０１２０】
これにより、ユーザは、ムーブしたとしてもムーブ元のオリジナルのコンテンツを消去しなくてもよいコピーワンスコンテンツを閲覧したりすることを容易に行うことができる。
【０１２１】
以上においては、タイトルリストや番組表の例を説明したが、図１２で示すような予約済みリストを含む予約リストや図１３で示すようなダビングする際のコンテンツリストでもよい。
【０１２２】
次に、図１４のフローチャートを参照して、HDD１５に記録されているコンテンツのダビングを行うコンテンツ記録装置１の処理について説明する。
【０１２３】
HDD１５に記録されているコンテンツの中には、領域Ｂに記録されているコピーワンスコンテンツのように、ムーブしたときにムーブ元のオリジナルのコンテンツが削除されるコンテンツもあり、コンテンツ記録装置１においては、このようなコンテンツのムーブを行うことをユーザが指示したとき、ムーブすることによってムーブ元のオリジナルのコンテンツが削除されることについての注意を喚起する通知がユーザに対して行われる。
【０１２４】
また、ムーブ先をメモリカード５Ｂとした場合のように、HDD１５に記録されているオリジナルのコンテンツと較べて解像度が落ちた形でコンテンツのムーブが行われる場合もあり、コンテンツ記録装置１においては、このようなムーブを行うことをユーザが選択したとき、ムーブすることによってコンテンツの解像度が落ちることについての注意を喚起する通知がユーザに対して行われる。
【０１２５】
図１４の処理は、例えば、タイトルリストから所定のコンテンツが選択され、コンテンツのダビングが指示されたときに開始される。
【０１２６】
ステップＳ４１において、コンテンツ管理部４３は、ダビングの対象として選択されたコンテンツが、ムーブしたときにムーブ元のオリジナルのコンテンツが削除されるコンテンツであるか否かを判定し、そのようなコンテンツであると判定した場合、ステップＳ４２に進む。
【０１２７】
ステップＳ４２において、コンテンツ管理部４３は、ムーブすることによってムーブ元のオリジナルのコンテンツが削除されることについての注意を喚起する通知をユーザに対して行う。ユーザに対する通知は、HDD１５の容量に関する通知と同様に、例えば、UI画面、音声、電子メールによって行われる。
【０１２８】
一方、ステップＳ４１において、コンテンツ管理部４３は、ダビングの対象として選択されたコンテンツが、ムーブしたときにムーブ元のオリジナルのコンテンツが削除されるコンテンツではないと判定した場合、ステップＳ４３に進む。
【０１２９】
ステップＳ４３において、コンテンツ管理部４３は、ダビングの対象として選択されたコンテンツが、HDD１５に記録されているオリジナルのコンテンツと較べて解像度が落ちた形でムーブが行われるコンテンツであるか否かを判定し、そのようなコンテンツであると判定した場合、ステップＳ４２に進む。ステップＳ４２においては、ムーブすることによって、解像度が落とされることについての注意を喚起する通知がユーザに対して行われる。
【０１３０】
ステップＳ４２において、ユーザに対する通知が行われた場合、または、ステップＳ４３において、ダビングの対象として選択されたコンテンツが、解像度を落とした形でムーブが行われるコンテンツでもないと判定された場合、処理はステップＳ４４に進む。
【０１３１】
ステップＳ４４において、コンテンツ管理部４３は、ダビングの対象として選択されたコンテンツをHDD１５から読み出し、ダビング先として選択されたリムーバブルメディア５に記録させることによってダビングを行う。コンテンツ管理部４３は、領域Ｂに記録されたコピーワンスコンテンツのムーブを行ったとき、ムーブ元のオリジナルのコンテンツを領域Ｂから削除するなどの処理も適宜行う。
【０１３２】
以上においては、容量によって、領域Ａへのコピーワンスコンテンツの記録が制限されるものとして説明したが（図３）、コンテンツの数によって、領域Ａへのコピーワンスコンテンツの記録が制限されるようにすることも可能である。
【０１３３】
すなわち、例えば、５０コンテンツまでといったように、領域Ａに記録可能なコピーワンスコンテンツの数に上限が設定されている場合、その範囲で、コピーワンスコンテンツを領域Ａに記録することが可能とされる。
【０１３４】
ここで、図１５のフローチャートを参照して、領域Ａへのコピーワンスコンテンツの記録をコンテンツの数に基づいて制御するコンテンツ記録装置１の処理について説明する。
【０１３５】
この処理は、図３の処理と同様に、例えば、コンテンツの記録の予約時に行われる。放送予定の番組のリストなどから記録対象とするコンテンツがユーザにより選択されたとき、そのコンテンツに関するSIがDEMUX１２により抽出され、SI解析部４１に供給される。
【０１３６】
ステップＳ５１において、SI解析部４１はSIを解析し、記録対象になっているコンテンツのCCIを記録制御部４２に出力する。
【０１３７】
ステップＳ５２において、記録制御部４２は、SI解析部４１から供給されたCCIと、ユーザによる設定、またはデフォルトの設定などに基づいて、記録対象となっているコンテンツが、記録先をHDD１５の領域Ａとすることが指定されているコピーワンスコンテンツであるか否かを判定する。
【０１３８】
記録制御部４２は、ステップＳ５２において、記録対象となっているコンテンツが記録先をHDD１５の領域Ａとすることが指定されているコピーワンスコンテンツであると判定した場合、ステップＳ５３に進み、HDD１５にアクセスし、領域Ａに記録済みのコンテンツの数を確認する。
【０１３９】
ステップＳ５４において、記録制御部４２は、ステップＳ５３での確認の結果、領域Ａに記録済みのコピーワンスコンテンツの数が上限としてあらかじめ設定された数に達していないか否かを判定する。
【０１４０】
記録制御部４２は、ステップＳ５４において、領域Ａに記録済みのコピーワンスコンテンツの数が上限としてあらかじめ設定された数に達していないと判定した場合、ステップＳ５５に進み、記録先を領域Ａとして、対象になっているコピーワンスコンテンツの記録予約を設定する。その後、処理は終了され、記録対象になっているコピーワンスコンテンツの放送が開始されたとき、スイッチ回路１３のスイッチ３１が端子３２Ａに接続され、コピーワンスコンテンツが領域Ａに記録される。
【０１４１】
ステップＳ５４において、記録制御部４２は、領域Ａに記録済みのコピーワンスコンテンツの数が上限としてあらかじめ設定された数に達していると判定した場合、ステップＳ５５をスキップし、処理を終了させる。このとき、記録先を領域Ｂとした形で、記録対象となっているコピーワンスコンテンツの記録予約が設定されるようにしてもよい。
【０１４２】
一方、ステップＳ５２において、記録制御部４２は、SI解析部４１から供給されたCCIと、ユーザによる設定、またはデフォルトの設定などに基づいて、記録対象となっているコンテンツが、記録先をHDD１５の領域Ａとすることが指定されているコピーワンスコンテンツではない、すなわち、記録先をHDD１５の領域Ｂとすることが指定されているコピーワンスコンテンツ、またはコピーフリーのコンテンツであると判定した場合、ステップＳ５６に進む。
【０１４３】
ステップＳ５６において、記録制御部４２は、記録先を領域Ｂとして、対象になっているコンテンツの記録予約を設定する。その後、処理は終了され、記録対象になっているコンテンツの放送が開始されたとき、スイッチ回路１３のスイッチ３１が端子３２Ｂに接続され、コンテンツが領域Ｂに記録される。なお、領域Ｂを記録先とする場合も、適宜、記録済みのコンテンツの数の確認が行われる。
【０１４４】
以上の処理により、記録済みのコンテンツの数によって、領域Ａへのコピーワンスコンテンツの記録が制限される。
【０１４５】
記録済みのコンテンツの数によって領域Ａへのコピーワンスコンテンツの記録が制限される場合においても、図４を参照して説明したものと同様に、ユーザによる指示に応じて、領域Ａに記録可能な残りのコンテンツの数を表す円グラフや棒グラフが表示され、ユーザがそれを視覚的に把握することができるようにしてもよいし、図５を参照して説明したものと同様に、領域Ａに記録可能な残りのコンテンツの数が閾値としての所定の数より少なくなったとき、UI画面、音声、電子メールによってそのことがユーザに通知されるようにしてもよい。また、領域Ａに記録可能な残りのコンテンツの数が閾値としての所定の数より少なくなったとき、領域Ａに記録されている所定のコンテンツが、外部記録媒体４やリムーバブルメディア５に自動的に退避されるようにしてもよい。
【０１４６】
なお、以上においては、SIの解析結果と、ユーザによる設定やデフォルトの設定に基づいて、記録先をHDD１５の領域Ａとするのか領域Ｂとするのかが判定されるものとしたが、コピーワンスコンテンツの種類として、“ムーブしたとしてもムーブ元のオリジナルのコンテンツをHDD１５から消去しなくてもよいコピーワンスコンテンツ”と、“ムーブしたときにムーブ元のオリジナルのコンテンツをHDD１５から消去しなければならないコピーワンスコンテンツ”とがあり、それがSIにより表されている場合、SIの解析結果に基づいて、前者のコピーワンスコンテンツの記録先は領域Ａとして判定され、後者のコピーワンスコンテンツの記録先は領域Ｂとして判定されるように、SIだけに基づいて、記録先とする領域が判定されるようにしてもよい。
【０１４７】
また、以上においては、コピーワンスコンテンツの記録先を制御する場合について主に説明したが、Ｎ回のコピーが可能として設定されたコンテンツを記録する場合にも同様の処理が行われるようにしてもよい。Ｎ回のコピーが可能として設定されたコンテンツが領域Ａに記録された場合、そのコンテンツは、リムーバブルメディアにＮ回コピーされると領域Ｂに移り、データはHDD１５に残るものの、ユーザが再生できないようになる。そして、リムーバブルメディアからのムーブバック処理を受けると、領域Ａのコンテンツとして扱えるようになる。その場合、ムーブバック処理をｍ回（ｍ≦Ｎ）行うと、領域Ａに記録されたｍ回のコピーが可能なコンテンツとして扱われる。
【０１４８】
また、ニュースのコピーワンスコンテンツの記録先は領域Ａとして判定され、映画のコピーワンスコンテンツの記録先は領域Ｂとして判定されるといったように、SIにより表されるコンテンツのカテゴリに基づいて、記録先とする領域が判定されるようにしてもよい。
【０１４９】
このようなSIの解析結果と記録先とする領域の対応関係は、記録制御部４２に対してあらかじめ設定されているようにしてもよいし、ユーザにより設定されるようにしてもよい。また、ネットワーク３を介して接続される所定のサーバから送信されてくる情報や、放送されてきた情報によって設定されるようにしてもよい。
【０１５０】
また、各領域はあらかじめ分けられた形で設定されているとして説明したが、SIに応じて分けられるようにしてもよい。また、ネットワーク３を介して接続される所定のサーバから送信されてくる情報や、放送されてきた情報によって領域が分けられるようにしてもよい。
【０１５１】
以上においては、コピーワンスコンテンツの管理の考え方として、通常のコピーワンスコンテンツの概念で処理される実体をはじめから領域Ｂにおき、コピー可能なもの（クローン）だけ領域Ａにもおくという処理方法も可能であるものとしたが、ここで、このことについて説明する。
【０１５２】
図１６は、CCIに従って、領域Ａと領域Ｂに実体とクローンを同時におくケースを示す図である。
【０１５３】
あるコピーワンスコンテンツであるコピーワンスコンテンツNo１と他のコピーワンスコンテンツであるコピーワンスコンテンツNo２が受信されたとき、それぞれの実体が領域Ｂに記録される。また、コピーワンスコンテンツNo１とコピーワンスコンテンツNo２が２回コピー可能なコンテンツとされている場合、実体が領域Ｂに記録されることと同時に、コピーワンスコンテンツNo１のクローンとコピーワンスコンテンツNo２のクローンが、それぞれ２つずつ領域Ａに記録される。図１６に示されるNo１-C１，No１-C２は、コピーワンスコンテンツNo１のクローンであり、No２-C１，No２-C２は、コピーワンスコンテンツNo２のクローンである。
【０１５４】
このような状態で、例えば、コピー先をBlu-rayディスク５ＡとしてコピーワンスコンテンツNo２のコピーが行われた場合、白抜き矢印Ａ1の先に示されるように、コピーワンスコンテンツNo２のクローンであるクローンNo２-C２が領域Ａから消去される。このとき、コピーワンスコンテンツNo２の残りのコピー可能回数は１回になる。
【０１５５】
また、続けて、例えば、コピー先をメモリカード５ＢとしてコピーワンスコンテンツNo２のコピーが行われた場合、白抜き矢印Ａ2の先に示されるように、コピーワンスコンテンツNo２のクローンであるクローンNo２-C１が領域Ａから消去される。このとき、コピーワンスコンテンツNo２の残りのコピー可能回数は０回になり（コピーの権利がなくなり）、ユーザは、領域Ｂに記録されているコピーワンスコンテンツNo２の実体を、通常のコピーワンスコンテンツとして扱うことができるだけになる。すなわち、ユーザは、コピーワンスコンテンツNo２のコピーを行うことはできず、ムーブだけが可能となる。
【０１５６】
図１７は、コピーワンスコンテンツの実体とクローンのおき方の他のケースを示す図である。この例は、上述したように、コピーの権利がなくなったとき、それまで領域Ａに記録されていたコピーワンスコンテンツが領域Ｂに移動され、領域Ｂのコンテンツとして管理される例を示している。
【０１５７】
このケースにおいては、あるコピーワンスコンテンツであるコピーワンスコンテンツNo１と他のコピーワンスコンテンツであるコピーワンスコンテンツNo２が受信されたとき、それぞれの実体とともに、コピーワンスコンテンツNo１とコピーワンスコンテンツNo２が２回コピー可能なコンテンツとされている場合、コピーワンスコンテンツNo１のクローンであるクローンNo１-C１，No１-C２と、コピーワンスコンテンツNo２のクローンであるクローンNo２-C１，No２-C２も領域Ａに記録される。
【０１５８】
このような状態で、例えば、コピー先をBlu-rayディスク５ＡとしてコピーワンスコンテンツNo２のコピーが行われた場合、白抜き矢印Ａ11の先に示されるように、コピーワンスコンテンツNo２のクローンであるクローンNo２-C２が領域Ａから消去される。このとき、コピーワンスコンテンツNo２の残りのコピー可能回数は１回になる。
【０１５９】
また、続けて、例えば、コピー先をメモリカード５ＢとしてコピーワンスコンテンツNo２のコピーが行われた場合、白抜き矢印Ａ12の先に示されるように、コピーワンスコンテンツNo２のクローンであるクローンNo２-C１が領域Ａから消去される。このとき、コピーワンスコンテンツNo２の残りのコピー可能回数は０回になる（コピーの権利がなくなる）。コピーの権利がなくなったコピーワンスコンテンツNo２の実体は、領域Ｂに移動し、これにより、ユーザは、領域Ｂに記録されているコピーワンスコンテンツNo２の実体を、通常のコピーワンスコンテンツとして扱うことができるだけになる。すなわち、ユーザは、コピーワンスコンテンツNo２のコピーを行うことはできず、ムーブだけが可能となる。
【０１６０】
以上においては、対象となっているコンテンツをHDD１５に記録する際、SIの解析結果と、ユーザの設定やデフォルトの設定に基づいて記録先となるHDD１５の領域が切り換えられる場合について説明したが、コンテンツのフォーマットに応じて、記録先となる記録領域が切り換えられるようにしてもよい。
【０１６１】
図１８は、コンテンツ記録装置１の他の構成例を示すブロック図である。図１の構成と対応する構成には同じ符号を付してある。
【０１６２】
図１８に示されるコンテンツ記録装置１は、端子３２Ａ、端子３２Ｂの他に端子３２Ｃがスイッチ回路１３に設けられ、スイッチ３１が端子３２Ａ乃至３２Ｃのいずれかに接続される点、HDD１５には領域Ａ、領域Ｂの他に領域Ｃが形成される点、および、スイッチ回路１３とHDD１５の間にトランスコーダ２１−１と２１−２が設けられる点が図１に示されるコンテンツ記録装置１と異なり、他の構成は基本的に同様の構成を有している。
【０１６３】
また、図１８の例においては、コンテンツ記録装置１に対して着脱可能なリムーバブルメディア５としてBlu-rayディスク５Ａ、メモリカード５Ｂの他にDVD５Ｃが示されている。
【０１６４】
図１８のコンテンツ記録装置１のデジタル放送チューナ１１は、CPU１４による制御に従って、図示せぬアンテナからの放送信号を受信、復調し、所定のチャンネルで放送されるトランスポートストリームをDEMUX１２に出力する。
【０１６５】
DEMUX１２は、所定のストリームをCPU１４による制御に従って抽出し、抽出したストリームを記録対象のコンテンツとしてスイッチ回路１３に出力する。また、DEMUX１２は、トランスポートストリームから抽出したSIをCPU１４に出力する。
【０１６６】
スイッチ回路１３は、CPU１４による制御に従ってスイッチ３１を端子３２Ａ、端子３２Ｂ、端子３２Ｃのいずれかに接続し、DEMUX１２から供給されたコンテンツを出力する。スイッチ３１が端子３２Ａに接続されているときにスイッチ回路１３から出力されたコンテンツはHDD１５の領域Ａに記録される。また、スイッチ３１が端子３２Ｂに接続されているときにスイッチ回路１３から出力されたコンテンツはトランスコーダ２１−１に供給され、スイッチ３１が端子３２Ｃに接続されているときにスイッチ回路１３から出力されたコンテンツはトランスコーダ２１−２に供給される。
【０１６７】
CPU１４は、コンテンツ記録装置１の全体の動作を制御し、例えば、DEMUX１２から供給されたSIを解析し、解析結果や、最終的なダビング先として設定されたリムーバブルメディア５に基づいて、対象になっているコンテンツの記録先となるHDD１５の領域を判定する。
【０１６８】
最終的なダビング先は、例えば、記録の予約時などにユーザにより設定されるようにしてもよいし、HD(High Definition)コンテンツのダビング先はBlu-rayディスク５Ａ、SD(Standard Definition)コンテンツのダビング先はメモリカード５ＢかDVD５Ｃといったように、あらかじめ設定されているようにしてもよい。
【０１６９】
CPU１４は、記録対象になっているコンテンツが、HDD１５に記録された後、最終的に、Blu-rayディスク５Ａにダビングさせるものとして設定されているコンテンツであると判断した場合、スイッチ回路１３のスイッチ３１を端子３２Ａに接続させ、DEMUX１２により抽出されたコンテンツをHDD１５の領域Ａに記録させる。
【０１７０】
また、CPU１４は、記録対象になっているコンテンツが、HDD１５に記録された後、最終的に、DVD５Ｃにダビングさせるものとして設定されているコンテンツであると判断した場合、スイッチ回路１３のスイッチ３１を端子３２Ｂに接続させ、DEMUX１２により抽出されたコンテンツをトランスコーダ２１−１に供給させる。
【０１７１】
CPU１４は、記録対象になっているコンテンツが、HDD１５に記録された後、最終的に、メモリカード５Ｂにダビングさせるものとして設定されているコンテンツであると判断した場合、スイッチ回路１３のスイッチ３１を端子３２Ｃに接続させ、DEMUX１２により抽出されたコンテンツをトランスコーダ２１−２に供給させる。
【０１７２】
また、CPU１４は、HDD１５に形成されるそれぞれの領域の容量に関する情報である容量情報をHDD１５から取得し、容量に関する通知をユーザに対して行う。例えば、CPU１４は、領域毎に、領域全体の容量に対してどのくらいの容量にコンテンツが既に記録されているのかをグラフィックで表したり、音声で通知したりする。また、コンテンツを記録させることが可能な残りの空き領域の容量が少なくなってきた場合、そのことを表す情報を表示したり、音声で通知したりする。
【０１７３】
CPU１４は、HDD１５に記録されているコンテンツをリムーバブルメディア５にダビングすることなども行う。CPU１４は、HDD１５に記録されているコンテンツをリムーバブルメディア５にダビングする際、DEMUX１２から供給されるSIにより表されるコンテンツに対して設定されたダビングの制限だけでなく、ダビング先とするリムーバブルメディア５に対して設定された制限などにも基づいてダビングを制御する。
【０１７４】
CPU１４により行われるダビングの制御については後に詳述する。また、CPU１４においては、所定のプログラムが実行されることによって図２に示されるものと同じ機能構成が実現されることから、以下、適宜、図２のそれぞれの構成を、図１８のコンテンツ記録装置１において実現される構成として引用して説明する。
【０１７５】
HDD１５には、その記録領域全体に領域Ａ、領域Ｂ、領域Ｃが形成される。それぞれの領域は、物理的に区切られることによって形成されるようにしてもよいし、論理的に区切って管理されることによって、形成されるようにしてもよい。領域Ａには、スイッチ回路１３から供給されたコンテンツが記録され、領域Ｂには、トランスコーダ２１−１から供給されたコンテンツが記録される。領域Ｃには、トランスコーダ２１−２から供給されたコンテンツが記録される。
【０１７６】
トランスコーダ２１−１においては、後述するように、領域Ａ、領域Ｃに記録されるコンテンツのフォーマットとは異なるフォーマットのコンテンツがスイッチ回路１３から供給されてきたコンテンツに基づいて生成され、トランスコーダ２１−２においては、領域Ａ、領域Ｂに記録されるコンテンツのフォーマットとは異なるフォーマットのコンテンツがスイッチ回路１３から供給されてきたコンテンツに基づいて生成される。
【０１７７】
すなわち、HDD１５の領域Ａ、領域Ｂ、領域Ｃには、それぞれ異なるフォーマットのコンテンツが記録される。
【０１７８】
例えば、領域Ａには、領域Ａに対応するリムーバブルメディア５として割り当てられたBlu-rayディスク５Ａの記録方式に対応して、受信されたものと同じMPEG-2（HDコンテンツ），MPEG-4 AVC High Profile，VC-1などのフォーマットのコンテンツが記録され、領域Ｂには、それに対応するリムーバブルメディア５として割り当てられたDVD５Ｃの記録方式に対応して、MPEG-2（SDコンテンツ）などのフォーマットのコンテンツが記録される。また、領域Ｃには、それに対応するリムーバブルメディア５として割り当てられたメモリカード５Ｂの記録方式に対応して、H.264/MPEG-4 AVCなどのフォーマット（MPEG-4 AVC High Profileより解像度が低いフォーマット）のコンテンツが記録される。
【０１７９】
領域Ａに記録されたコンテンツは、領域Ａに対応するリムーバブルメディア５として割り当てられたBlu-rayディスク５Ａに所定のタイミングでダビングされ、領域Ｂに記録されたコンテンツは、領域Ｂに対応するリムーバブルメディア５として割り当てられたDVD５Ｃに所定のタイミングでダビングされる。領域Ｃに記録されたコンテンツは、領域Ｃに対応するリムーバブルメディア５として割り当てられたメモリカード５Ｂに所定のタイミングでダビングされる。
【０１８０】
デコーダ１６は、HDD１５から供給されたビデオデータをデコードし、得られたビデオデータをグラフィック回路１７に出力する。
【０１８１】
グラフィック回路１７は、CPU１４から供給されたGUIのデータに基づいて、領域全体の容量に対してどのくらいの容量にコンテンツが既に記録されているのかをグラフィックで表すためのデータを生成し、そのようなグラフィックを映像端子１８を介してTV２に表示させる。また、グラフィック回路１７は、デコーダ１６から供給されたビデオデータに基づいて、記録済みのコンテンツの映像を映像端子１８を介してTV２に表示させる。
【０１８２】
映像端子１８は、グラフィック回路１７から供給されたデータに基づいて各種の画面をTV２に表示させる。
【０１８３】
音声端子１９は、CPU１４から供給されたデータに基づいて各種の音声をTV２のスピーカから出力させる。TV２からは、HDD１５の容量を表す音声などが出力される。
【０１８４】
ネットワーク端子２０は、CPU１４による制御に従って、HDD１５に記録されているコンテンツを読み出し、読み出したコンテンツを外部記録媒体４に記録させる。
【０１８５】
トランスコーダ２１−１は、スイッチ３１が端子３２Ｂに接続されることによってスイッチ回路１３から供給されたコンテンツに基づいて、MPEG-2などの、領域Ａに記録されるコンテンツと領域Ｃに記録されるコンテンツとは異なるフォーマットのコンテンツを生成し、生成した所定のフォーマットのコンテンツをHDD１５の領域Ｂに記録させる。
【０１８６】
トランスコーダ２１−２は、スイッチ３１が端子３２Ｃに接続されることによってスイッチ回路１３から供給されたコンテンツに基づいて、H.264/MPEG-4 AVCなどの、領域Ａに記録されるコンテンツと領域Ｂに記録されるコンテンツとは異なるフォーマットのコンテンツを生成し、生成した所定のフォーマットのコンテンツをHDD１５の領域Ｃに記録させる。
【０１８７】
トランスコーダ２１−１と２１−２においては、フォーマットの変換だけでなく、転送レートの変換などが行われ、画質が落とされるようにすることも可能である。
【０１８８】
以上のように、図１８のコンテンツ記録装置１においては、最終的なダビング先となるリムーバブルメディア５に記録可能なコンテンツのフォーマットに応じて、対象とするコンテンツの記録領域が切り換えられる。
【０１８９】
ここで、図１８のコンテンツ記録装置１により管理されるダビング（コピー）の制限について説明する。上述したように、図１８のCPU１４においては、DEMUX１２から供給されたSIにより表される、コンテンツに対して設定されたダビングの制限だけでなく、ダビング先とするリムーバブルメディア５に対して設定された制限にも基づいてダビングが制御される。
【０１９０】
図１９は、コピー先とするリムーバブルメディア５に対して設定されたコピーの制限の例を示す図である。
【０１９１】
図１９の例においては、HDD１５に記録された１つのコンテンツをBlu-rayディスク５Ａにコピーすることは最大５回まで可能として設定され、HDD１５に記録された１つのコンテンツをDVD５Ｃにコピーすることは最大５０回まで可能として設定されている。また、HDD１５に記録された１つのコンテンツをメモリカード５Ｂにコピーすることは最大１００回まで可能として設定されている。
【０１９２】
このようなリムーバブルメディア５に対するコピー回数の設定は、あらかじめ設定されているようにしてもよいし、ネットワーク３を介して所定のサーバから送信されてきた情報や、放送されてきた情報によって後から設定、更新されるようにしてもよい。
【０１９３】
図２０は、コピーの対象とするコンテンツに対して設定されたコピーの制限の例を示す図である。
【０１９４】
図２０の例においては、コピーの対象とするコンテンツのカテゴリに応じてコピーの制限が設定され、映画であるコンテンツＡをコピーすることは１回だけ可能として設定されている。ニュースであるコンテンツＢをコピーすることは１００回まで可能として設定され、ドラマであるコンテンツＣをコピーすることは１０回まで可能として設定されている。
【０１９５】
このようなコンテンツに対するコピー回数の設定は、DEMUX１２により抽出されたSIにより表される。
【０１９６】
図２１は、図１９に示されるようなコピーの制限が設定されたリムーバブルメディア５に対して、図２０に示されるようなコピーの制限が設定されたコンテンツをコピーする場合のコピー回数の例を示す図である。
【０１９７】
基本的に、あるコンテンツをあるリムーバブルメディア５にコピーする場合、コピーが可能な回数は、コンテンツに対して設定されたコピー回数と、コピー先とするリムーバブルメディア５に対して設定されたコピー回数のうち、少ない方の回数に制限される。
【０１９８】
すなわち、図２１に示されるように、映画であるコンテンツＡをBlu-rayディスク５Ａにコピーさせる場合、コピーが可能な回数は、コンテンツＡに対して設定されたコピー回数とBlu-rayディスク５Ａに対して設定されたコピー回数のうちの少ない方の回数である１回とされ、映画であるコンテンツＡをDVD５Ｃにコピーさせる場合、コピーが可能な回数は、コンテンツＡに対して設定されたコピー回数とDVD５Ｃに対して設定されたコピー回数のうちの少ない方の回数である１回とされる。映画であるコンテンツＡをメモリカード５Ｂにコピーさせる場合、コピーが可能な回数は、コンテンツＡに対して設定されたコピー回数とメモリカード５Ｂに対して設定されたコピー回数のうちの少ない方の回数である１回とされる。
【０１９９】
同様に、ニュースであるコンテンツＢをBlu-rayディスク５Ａにコピーさせる場合、コピーが可能な回数は、コンテンツＢに対して設定されたコピー回数とBlu-rayディスク５Ａに対して設定されたコピー回数のうちの少ない方の回数である５回とされ、ニュースであるコンテンツＢをDVD５Ｃにコピーさせる場合、コピーが可能な回数は、コンテンツＢに対して設定されたコピー回数とDVD５Ｃに対して設定されたコピー回数のうちの少ない方の回数である５０回とされる。ニュースであるコンテンツＢをメモリカード５Ｂにコピーさせる場合、コピーが可能な回数は、コンテンツＢに対して設定されたコピー回数でもあり、メモリカード５Ｂに対して設定されたコピー回数でもある１００回とされる。
【０２００】
ドラマであるコンテンツＣをBlu-rayディスク５Ａにコピーさせる場合、コピーが可能な回数は、コンテンツＣに対して設定されたコピー回数とBlu-rayディスク５Ａに対して設定されたコピー回数のうちの少ない方の回数である５回とされ、ドラマであるコンテンツＣをDVD５Ｃにコピーさせる場合、コピーが可能な回数は、コンテンツＣに対して設定されたコピー回数とDVD５Ｃに対して設定されたコピー回数のうちの少ない方の回数である１０回とされる。ドラマであるコンテンツＣをメモリカード５Ｂにコピーさせる場合、コピーが可能な回数は、コンテンツＣに対して設定されたコピー回数とメモリカード５Ｂに対して設定されたコピー回数のうちの少ない方の回数である１０回とされる。
【０２０１】
図２１に示されるようなコピー回数は、例えば、TV２に表示されるタイトルリストにコンテンツの情報として図２２に示されるように表示されるようにしてもよいし、音声によってTV２から出力され、ユーザに通知されるようにしてもよい。また、ネットワーク端子２０から送信される電子メールによってユーザに通知されるようにしてもよい。これらの通知は、ネットワーク３を介して所定のサーバから送信されてきた情報や、放送されてきた情報に基づいて、CPU１４が管理するコピー回数が更新されたときに行われるようにしてもよい。
【０２０２】
ここで、図２３のフローチャートを参照して、コンテンツの記録を制御する図１８のコンテンツ記録装置１の処理について説明する。図１８のコンテンツ記録装置１においても、HDD１５のそれぞれの領域に記録可能なコンテンツは、コンテンツの容量によって制限される。
【０２０３】
この処理は、例えば、コンテンツの記録の予約時に行われる。記録の予約時、例えば、記録対象とするコンテンツが指定されることに続けて、最終的なダビング先とするリムーバブルメディア５がユーザにより指定される。最終的なダビング先とするリムーバブルメディア５がユーザにより指定されたとき、指定されたリムーバブルメディア５を表す情報が記録制御部４２（図２）に供給される。
【０２０４】
ステップＳ１０１において、記録制御部４２は、最終的なダビング先とするリムーバブルメディア５の指定を受け付け、ステップＳ１０２に進み、記録対象となっているコンテンツが、最終的なダビング先をBlu-rayディスク５Ａとすることが指定されたコンテンツであるか否かを判定する。
【０２０５】
記録制御部４２は、ステップＳ１０２において、記録対象となっているコンテンツが、最終的なダビング先をBlu-rayディスク５Ａとすることが指定されたコンテンツであると判定した場合、ステップＳ１０３に進み、HDD１５にアクセスし、領域Ａに記録済みのコンテンツの量を確認する。
【０２０６】
ステップＳ１０４において、記録制御部４２は、ステップＳ１０３での確認の結果、記録対象となっているコンテンツを記録することができる容量の空き領域が領域Ａに残っているか否かを判定する。
【０２０７】
記録制御部４２は、ステップＳ１０４において、記録対象となっているコンテンツを記録することができる容量の空き領域が領域Ａに残っていると判定した場合、ステップＳ１０５に進み、記録先を領域Ａとして、対象になっているコンテンツの記録予約を設定する。その後、処理は終了され、記録対象になっているコンテンツの放送が開始されたとき、スイッチ回路１３のスイッチ３１が端子３２Ａに接続され、コンテンツが領域Ａに記録される。
【０２０８】
ステップＳ１０４において、記録制御部４２は、記録対象となっているコンテンツを記録することができる容量の空き領域が領域Ａに残っていないと判定した場合、ステップＳ１０５をスキップし、処理を終了させる。
【０２０９】
一方、ステップＳ１０２において、記録制御部４２は、記録対象となっているコンテンツが、最終的なダビング先をBlu-rayディスク５Ａとすることが指定されたコンテンツではないと判定した場合、ステップＳ１０６に進み、記録対象となっているコンテンツが、最終的なダビング先をDVD５Ｃとすることが指定されたコンテンツであるか否かを判定する。
【０２１０】
ステップＳ１０６において、記録制御部４２は、記録対象となっているコンテンツが、最終的なダビング先をDVD５Ｃとすることが指定されたコンテンツであると判定した場合、ステップＳ１０７に進み、HDD１５にアクセスし、領域Ｂに記録済みのコンテンツの量を確認する。
【０２１１】
ステップＳ１０８において、記録制御部４２は、ステップＳ１０７での確認の結果、記録対象となっているコンテンツを記録することができる容量の空き領域が領域Ｂに残っているか否かを判定する。
【０２１２】
記録制御部４２は、ステップＳ１０８において、記録対象となっているコンテンツを記録することができる容量の空き領域が領域Ｂに残っていると判定した場合、ステップＳ１０９に進み、記録先を領域Ｂとして、対象になっているコンテンツの記録予約を設定する。その後、処理は終了され、記録対象になっているコンテンツの放送が開始されたとき、スイッチ回路１３のスイッチ３１が端子３２Ｂに接続され、トランスコーダ２１−１により生成された所定のフォーマットのコンテンツが領域Ｂに記録される。
【０２１３】
ステップＳ１０８において、記録制御部４２は、記録対象となっているコンテンツを記録することができる容量の空き領域が領域Ｂに残っていないと判定した場合、ステップＳ１０９をスキップし、処理を終了させる。
【０２１４】
一方、ステップＳ１０６において、記録制御部４２は、記録対象となっているコンテンツが、最終的なダビング先をDVD５Ｃとすることが指定されたコンテンツではないと判定した場合、最終的なダビング先をメモリカード５Ｂとすることが指定されたコンテンツであると認識し、ステップＳ１１０に進む。
【０２１５】
ステップＳ１１０において、記録制御部４２は、HDD１５にアクセスし、領域Ｃに記録済みのコンテンツの量を確認する。
【０２１６】
ステップＳ１１１において、記録制御部４２は、ステップＳ１１０での確認の結果、記録対象となっているコンテンツを記録することができる容量の空き領域が領域Ｃに残っているか否かを判定する。
【０２１７】
記録制御部４２は、ステップＳ１１１において、記録対象となっているコンテンツを記録することができる容量の空き領域が領域Ｃに残っていると判定した場合、ステップＳ１１２に進み、記録先を領域Ｃとして、対象になっているコンテンツの記録予約を設定する。その後、処理は終了され、記録対象になっているコンテンツの放送が開始されたとき、スイッチ回路１３のスイッチ３１が端子３２Ｃに接続され、トランスコーダ２１−２により生成された所定のフォーマットのコンテンツが領域Ｃに記録される。
【０２１８】
ステップＳ１１１において、記録制御部４２は、記録対象となっているコンテンツを記録することができる容量の空き領域が領域Ｃに残っていないと判定した場合、ステップＳ１１２をスキップし、処理を終了させる。
【０２１９】
以上の処理により、容量によって、HDD１５に形成されたそれぞれの領域へのコンテンツの記録が制限される。
【０２２０】
図４を参照して説明したものと同様に、ユーザによる指示に応じて、領域Ａ、領域Ｂ、領域Ｃのそれぞれの領域に記録されたコンテンツの量を表す円グラフや棒グラフが表示され、ユーザがそれを視覚的に把握することができるようにしてもよいし、図５を参照して説明したものと同様に、領域Ａ、領域Ｂ、領域Ｃのそれぞれの領域に記録可能な残りの空き領域の容量が閾値としての所定の量より少なくなったとき、UI画面、音声、電子メールによってそのことがユーザに通知されるようにしてもよい。また、記録可能な残りの空き領域の容量が閾値としての所定の量より少なくなったとき、空き領域の容量が少ない領域に記録されている所定のコンテンツが、外部記録媒体４やリムーバブルメディア５に自動的に退避されるようにしてもよい。
【０２２１】
次に、図２４のフローチャートを参照して、記録済みのコンテンツに対して許可されたコピー回数をユーザに通知するコンテンツ記録装置１の処理について説明する。
【０２２２】
ステップＳ１２１において、コンテンツ管理部４３は、コピー回数を通知することがユーザにより指示されたか否かを判定し、指示されたと判定するまで待機する。ユーザによる指示は、例えば、リモートコントローラによって行われる。
【０２２３】
コンテンツ管理部４３は、ステップＳ１２１において、コピー回数を通知することがユーザにより指示されたと判定した場合、ステップＳ１２２に進み、HDD１５にアクセスすることによって、領域Ａ、領域Ｂ、領域Ｃのそれぞれの領域に記録されているコンテンツのコピー回数に関する、図２１に示されるような情報を取得し、表示制御部４４、出力制御部４５を制御することによって、TV２に表示されるグラフィックやTV２から出力される音声により、コピー回数をユーザに通知する。
【０２２４】
以上においては、容量によって、領域Ａ、領域Ｂ、領域Ｃのそれぞれの領域へのコンテンツの記録が制限されるものとして説明したが、図１８のコンテンツ記録装置１においても、コンテンツの数によって、それぞれの領域へのコンテンツの記録が制限されるようにすることも可能である。
【０２２５】
次に、図２５のフローチャートを参照して、領域Ａ、領域Ｂ、領域Ｃのそれぞれの領域へのコンテンツの記録をコンテンツの数に基づいて制御するコンテンツ記録装置１の処理について説明する。
【０２２６】
この処理は、図２３の処理と同様に、例えば、コンテンツの記録の予約時に行われる。記録の予約時、例えば、記録対象とするコンテンツが指定されることに続けて、最終的なダビング先とするリムーバブルメディア５がユーザにより指定される。最終的なダビング先とするリムーバブルメディア５がユーザにより指定されたとき、指定されたリムーバブルメディア５を表す情報が記録制御部４２に供給される。
【０２２７】
ステップＳ１４１において、記録制御部４２は、最終的なダビング先とするリムーバブルメディア５の指定を受け付け、ステップＳ１４２に進み、記録対象となっているコンテンツが、最終的なダビング先をBlu-rayディスク５Ａとすることが指定されたコンテンツであるか否かを判定する。
【０２２８】
記録制御部４２は、ステップＳ１４２において、記録対象となっているコンテンツが、最終的なダビング先をBlu-rayディスク５Ａとすることが指定されたコンテンツであると判定した場合、ステップＳ１４３に進み、HDD１５にアクセスし、領域Ａに記録済みのコンテンツの数を確認する。
【０２２９】
ステップＳ１４４において、記録制御部４２は、ステップＳ１４３での確認の結果、領域Ａに記録済みのコンテンツの数が上限としてあらかじめ設定された数に達していないか否かを判定する。
【０２３０】
記録制御部４２は、ステップＳ１４４において、領域Ａに記録済みのコンテンツの数が上限としてあらかじめ設定された数に達していないと判定した場合、ステップＳ１４５に進み、記録先を領域Ａとして、対象になっているコンテンツの記録予約を設定する。その後、処理は終了され、記録対象になっているコンテンツの放送が開始されたとき、スイッチ回路１３のスイッチ３１が端子３２Ａに接続され、コンテンツが領域Ａに記録される。
【０２３１】
ステップＳ１４４において、記録制御部４２は、領域Ａに記録済みのコンテンツの数が上限としてあらかじめ設定された数に達していると判定した場合、ステップＳ１４５をスキップし、処理を終了させる。
【０２３２】
一方、ステップＳ１４２において、記録制御部４２は、記録対象となっているコンテンツが、最終的なダビング先をBlu-rayディスク５Ａとすることが指定されたコンテンツではないと判定した場合、ステップＳ１４６に進み、記録対象となっているコンテンツが、最終的なダビング先をDVD５Ｃとすることが指定されたコンテンツであるか否かを判定する。
【０２３３】
ステップＳ１４６において、記録制御部４２は、記録対象となっているコンテンツが、最終的なダビング先をDVD５Ｃとすることが指定されたコンテンツであると判定した場合、ステップＳ１４７に進み、HDD１５にアクセスし、領域Ｂに記録済みのコンテンツの数を確認する。
【０２３４】
ステップＳ１４８において、記録制御部４２は、ステップＳ１４７での確認の結果、領域Ｂに記録済みのコンテンツの数が上限としてあらかじめ設定された数に達していないか否かを判定する。
【０２３５】
記録制御部４２は、ステップＳ１４８において、領域Ｂに記録済みのコンテンツの数が上限としてあらかじめ設定された数に達していないと判定した場合、ステップＳ１４９に進み、記録先を領域Ｂとして、対象になっているコンテンツの記録予約を設定する。その後、処理は終了され、記録対象になっているコンテンツの放送が開始されたとき、スイッチ回路１３のスイッチ３１が端子３２Ｂに接続され、トランスコーダ２１−１により生成された所定のフォーマットのコンテンツが領域Ｂに記録される。
【０２３６】
ステップＳ１４８において、記録制御部４２は、領域Ｂに記録済みのコンテンツの数が上限としてあらかじめ設定された数に達していると判定した場合、ステップＳ１４９をスキップし、処理を終了させる。
【０２３７】
一方、ステップＳ１４６において、記録制御部４２は、記録対象となっているコンテンツが、最終的なダビング先をDVD５Ｃとすることが指定されたコンテンツではないと判定した場合、最終的なダビング先をメモリカード５Ｂとすることが指定されたコンテンツであると認識し、ステップＳ１５０に進む。
【０２３８】
ステップＳ１５０において、記録制御部４２は、HDD１５にアクセスし、領域Ｃに記録済みのコンテンツの数を確認する。
【０２３９】
ステップＳ１５１において、記録制御部４２は、ステップＳ１５０での確認の結果、領域Ｃに記録済みのコンテンツの数が上限としてあらかじめ設定された数に達していないか否かを判定する。
【０２４０】
記録制御部４２は、ステップＳ１５１において、領域Ｃに記録済みのコンテンツの数が上限としてあらかじめ設定された数に達していないと判定した場合、ステップＳ１５２に進み、記録先を領域Ｃとして、対象になっているコンテンツの記録予約を設定する。その後、処理は終了され、記録対象になっているコンテンツの放送が開始されたとき、スイッチ回路１３のスイッチ３１が端子３２Ｃに接続され、トランスコーダ２１−２により生成された所定のフォーマットのコンテンツが領域Ｃに記録される。
【０２４１】
ステップＳ１５１において、記録制御部４２は、領域Ｃに記録済みのコンテンツの数が上限としてあらかじめ設定された数に達していると判定した場合、ステップＳ１５２をスキップし、処理を終了させる。
【０２４２】
以上の処理により、コンテンツの数によって、HDD１５に形成されたそれぞれの領域へのコンテンツの記録が制限される。
【０２４３】
記録済みのコンテンツの数によって領域Ａ、領域Ｂ、領域Ｃのそれぞれの領域へのコンテンツの記録が制限される場合においても、図４を参照して説明したものと同様に、ユーザによる指示に応じて、領域Ａ、領域Ｂ、領域Ｃのそれぞれの領域に記録可能な残りのコンテンツの数を表す円グラフや棒グラフが表示され、ユーザがそれを視覚的に把握することができるようにしてもよいし、図５を参照して説明したものと同様に、領域Ａ、領域Ｂ、領域Ｃのそれぞれの領域に記録可能な残りのコンテンツの数が閾値としての所定の数より少なくなったとき、UI画面、音声、電子メールによってそのことがユーザに通知されるようにしてもよい。また、記録可能な残りのコンテンツの数が閾値としての所定の数より少なくなったとき、記録可能な残りのコンテンツの数が少ない領域に記録されている所定のコンテンツが、外部記録媒体４やリムーバブルメディア５に自動的に退避されるようにしてもよい。
【０２４４】
図２３、図２５を参照して説明したようにしてHDD１５のそれぞれの領域にコンテンツが記録された場合、例えば、図１４を参照して説明したような処理が行われることによって、それぞれのコンテンツが、それが記録されている領域に対応するリムーバブルメディア５にダビングされる（ステップＳ４４）。すなわち、領域Ａに記録されたコンテンツはBlu-rayディスク５Ａにダビングされ、領域Ｂに記録されたコンテンツはDVD５Ｃにダビングされる。また、領域Ｃに記録されたコンテンツはメモリカード５Ｂにダビングされる。
【０２４５】
以上においては、HDD１５に形成される領域Ａ乃至Ｃの全ての領域が、記録可能なコンテンツが容量や数に応じて制限されるものとしたが、領域Ａだけが制限されたり、領域Ｂだけが制限されるといったように、少なくともいずれか１つの領域だけが制限されるようにしてもよい。
【０２４６】
上述した一連の処理は、ハードウエアにより実行させることもできるし、ソフトウエアにより実行させることもできる。一連の処理をソフトウエアにより実行させる場合には、そのソフトウエアを構成するプログラムが、専用のハードウエアに組み込まれているコンピュータ、または、各種のプログラムをインストールすることで、各種の機能を実行することが可能な、例えば汎用のパーソナルコンピュータなどに、プログラム記録媒体からインストールされる。
【０２４７】
図２６は、上述した一連の処理をプログラムにより実行するパーソナルコンピュータの構成の例を示すブロック図である。
【０２４８】
CPU(Central Processing Unit)２０１は、ROM(Read Only Memory)２０２、または記憶部２０８に記憶されているプログラムに従って各種の処理を実行する。RAM(Random Access Memory)２０３には、CPU２０１が実行するプログラムやデータなどが適宜記憶される。これらのCPU２０１、ROM２０２、およびRAM２０３は、バス２０４により相互に接続されている。
【０２４９】
CPU２０１にはまた、バス２０４を介して入出力インタフェース２０５が接続されている。入出力インタフェース２０５には、キーボード、マウス、マイクロホンなどよりなる入力部２０６、ディスプレイ、スピーカなどよりなる出力部２０７が接続されている。CPU２０１は、入力部２０６から入力される指令に対応して各種の処理を実行する。そして、CPU２０１は、処理の結果を出力部２０７に出力する。
【０２５０】
入出力インタフェース２０５に接続されている記憶部２０８は、例えばハードディスクからなり、CPU２０１が実行するプログラムや各種のデータを記憶する。通信部２０９は、インターネットやローカルエリアネットワークなどのネットワークを介して外部の装置と通信する。
【０２５１】
入出力インタフェース２０５に接続されているドライブ２１０は、磁気ディスク、光ディスク、光磁気ディスク、或いは半導体メモリなどのリムーバブルメディア２１１が装着されたとき、それらを駆動し、そこに記録されているプログラムやデータなどを取得する。取得されたプログラムやデータは、必要に応じて記憶部２０８に転送され、記憶される。
【０２５２】
コンピュータにインストールされ、コンピュータによって実行可能な状態とされるプログラムを格納するプログラム記録媒体は、図２６に示すように、磁気ディスク（フレキシブルディスクを含む）、光ディスク（CD-ROM(Compact Disc-Read Only Memory)，DVD(Digital Versatile Disc)を含む）、光磁気ディスク、もしくは半導体メモリなどよりなるパッケージメディアであるリムーバブルメディア２１１、または、プログラムが一時的もしくは永続的に格納されるROM２０２や、記憶部２０８を構成するハードディスクなどにより構成される。プログラム記録媒体へのプログラムの格納は、必要に応じてルータ、モデムなどのインタフェースである通信部２０９を介して、ローカルエリアネットワーク、インターネット、デジタル衛星放送といった、有線または無線の通信媒体を利用して行われる。
【０２５３】
なお、本明細書において、プログラムを記述するステップは、記載された順序に沿って時系列的に行われる処理はもちろん、必ずしも時系列的に処理されなくとも、並列的あるいは個別に実行される処理をも含むものである。
【０２５４】
なお、本発明の実施の形態は、上述した実施の形態に限定されるものではなく、本発明の要旨を逸脱しない範囲において種々の変更が可能である。
【図面の簡単な説明】
【０２５５】
【図１】本発明の一実施形態に係るコンテンツ記録装置の構成例を示すブロック図である。
【図２】コンテンツ記録装置の機能構成例を示すブロック図である。
【図３】図１のコンテンツ記録装置の記録制御処理について説明するフローチャートである。
【図４】図１のコンテンツ記録装置の記録量通知処理について説明するフローチャートである。
【図５】図１のコンテンツ記録装置の残量通知処理について説明するフローチャートである。
【図６】ユーザ通知の例を示す図である。
【図７】図１のコンテンツ記録装置の表示処理について説明するフローチャートである。
【図８】タイトルリストの表示例を示す図である。
【図９】番組表の表示例を示す図である。
【図１０】番組表の表示例を示す図である。
【図１１】番組表でコピーワンスの説明文章や判別アイコンの表示例を示す図である。
【図１２】予約リストの表示例を示す図である。
【図１３】他の記録媒体に記録するコンテンツを選択するためのダビングコンテンツリストの表示例を示す図である。
【図１４】図１のコンテンツ記録装置のダビング処理について説明するフローチャートである。
【図１５】図１のコンテンツ記録装置の他の記録制御処理について説明するフローチャートである。
【図１６】コピーワンスコンテンツの記録の例を示す図である。
【図１７】コピーワンスコンテンツの記録の他の例を示す図である。
【図１８】本発明の一実施形態に係る他のコンテンツ記録装置の構成例を示すブロック図である。
【図１９】コピー回数の制限の例を示す図である。
【図２０】コピー回数の制限の他の例を示す図である。
【図２１】コピー回数の制限のさらに他の例を示す図である。
【図２２】タイトルリストにコピー回数を表示する例を示す図である。
【図２３】図１８のコンテンツ記録装置の記録制御処理について説明するフローチャートである。
【図２４】図１８のコンテンツ記録装置のコピー回数通知処理について説明するフローチャートである。
【図２５】図１８のコンテンツ記録装置の他の記録制御処理について説明するフローチャートである。
【図２６】パーソナルコンピュータの構成例を示すブロック図である。
【符号の説明】
【０２５６】
１  コンテンツ記録装置，  ５  リムーバブルメディア，  １２  DEMUX，  １３  スイッチ回路，  １４  CPU，  １５  HDD，  ２１−１，２１−２  トランスコーダ，  ４１  SI解析部，  ４２  記録制御部，  ４３  コンテンツ管理部，  ４４  表示制御部，  ４５  出力制御部，  ４６  通信制御部
【図１】
2008047226.tif 000003
【図２】
2008047226.tif 000004
【図３】
2008047226.tif 000005
【図４】
2008047226.tif 000006
【図５】
2008047226.tif 000007
【図６】
2008047226.tif 000008
【図７】
2008047226.tif 000009
【図８】
2008047226.tif 000010
【図９】
2008047226.tif 000011
【図１０】
2008047226.tif 000012
【図１１】
2008047226.tif 000013
【図１２】
2008047226.tif 000014
【図１３】
2008047226.tif 000015
【図１４】
2008047226.tif 000016
【図１５】
2008047226.tif 000017
【図１６】
2008047226.tif 000018
【図１７】
2008047226.tif 000019
【図１８】
2008047226.tif 000020
【図１９】
2008047226.tif 000021
【図２０】
2008047226.tif 000022
【図２１】
2008047226.tif 000023
【図２２】
2008047226.tif 000024
【図２３】
2008047226.tif 000025
【図２４】
2008047226.tif 000026
【図２５】
2008047226.tif 000027
【図２６】
2008047226.tif 000028